(57)【要約】【課題】コンテンツが視聴されていたテレビ受像機と通信可能な携帯端末で効率良く継続して当該コンテンツを視聴させること。【解決手段】テレビ受像機によって、通信することが可能な携帯端末が検知され（ステップＳ１１４）、テレビ受像機でのコンテンツの出力を終了される場合、出力されているコンテンツの視聴を再開するための視聴再開情報が、検知された携帯端末に送信される（ステップＳ１１９）。携帯端末によって、テレビ受像機から送信されてきた視聴再開情報が受信され（ステップＳ２２１）、受信された視聴再開情報に基づいて、テレビ受像機によって出力されていたコンテンツの続きが出力される（ステップＳ２２８）。【選択図】図４
2010287951.tif 000002
【特許請求の範囲】
【請求項１】
第１のコンテンツ視聴装置と１つまたは複数の第２のコンテンツ視聴装置とを含むコンテンツ視聴システムであって、
前記第１のコンテンツ視聴装置および前記第２のコンテンツ視聴装置は、それぞれ、
制御部と、
前記制御部によって制御されてコンテンツ情報を受信する受信部と、
前記制御部によって制御されて他のコンテンツ視聴装置と互いに通信するための通信部と、
前記制御部によって制御されて前記受信部によって受信されたコンテンツ情報に基づくコンテンツを視聴可能なように出力する視聴出力部とを備え、
前記第１のコンテンツ視聴装置の前記制御部は、
前記通信部を制御することによって、通信することが可能な第２のコンテンツ視聴装置を検知する検知手段と、
前記第１のコンテンツ視聴装置でのコンテンツの出力を終了する制御を行なう場合、前記視聴出力部によって出力されているコンテンツの視聴を再開するための視聴再開情報を、前記検知手段によって検知された前記第２のコンテンツ視聴装置に送信するように、前記通信部を制御する送信制御手段とを含み、
前記第２のコンテンツ視聴装置の前記制御部は、
前記第１のコンテンツ視聴装置から送信されてきた前記視聴再開情報を受信するように、前記通信部を制御する受信制御手段と、
前記通信部によって受信された前記視聴再開情報に基づいて、前記第１のコンテンツ視聴装置によって出力されていたコンテンツの続きを出力するよう、前記視聴出力部を制御する出力制御手段とを含む、コンテンツ視聴システム。
【請求項２】
前記第２のコンテンツ視聴装置は、さらに、
前記制御部により用いられる情報を記憶する記憶部と、
ユーザから所定の指示の入力を受付ける入力受付部とを備え、
前記第２のコンテンツ視聴装置の前記制御部は、さらに、
前記通信部によって前記視聴再開情報が受信された場合、当該視聴再開情報を前記記憶部に記憶させる記憶制御手段と、
前記視聴出力部によって何らかの情報が出力されているときに、前記通信部によって前記視聴再開情報が受信された場合、または、前記記憶部に前記視聴再開情報が記憶されているときに、前記視聴出力部によって何らかの情報の出力が開始される場合、前記視聴再開情報に基づくコンテンツの続きを視聴するか否かの問合せをユーザに報知するよう、前記視聴出力部を制御する報知制御手段とを含み、
前記出力制御手段は、前記入力受付部によって前記コンテンツの続きを視聴する指示の入力が受付けられた場合、前記コンテンツの続きを出力する、請求項１に記載のコンテンツ視聴システム。
【請求項３】
制御部と、
前記制御部によって制御されてコンテンツ情報を受信する受信部と、
前記制御部によって制御されて他のコンテンツ視聴装置と互いに通信するための通信部と、
前記制御部によって制御されて前記受信部によって受信されたコンテンツ情報に基づくコンテンツを視聴可能なように出力する視聴出力部とを備え、
前記制御部は、
前記通信部を制御することによって、通信することが可能な他のコンテンツ視聴装置を検知する検知手段と、
コンテンツの出力を終了する制御を行なう場合、前記視聴出力部によって出力されているコンテンツの視聴を再開するための視聴再開情報を、前記検知手段によって検知された前記他のコンテンツ視聴装置に送信するように、前記通信部を制御する送信制御手段とを含む、コンテンツ視聴装置。
【請求項４】
前記制御部は、さらに、
前記検知手段によって検知された前記他のコンテンツ視聴装置から当該他のコンテンツ視聴装置がコンテンツを出力可能であるか否かを示す出力可能情報を取得するよう、前記通信部を制御する取得手段を含み、
前記送信制御手段は、前記通信部によって取得された前記出力可能情報がコンテンツを出力可能であることを示す前記他のコンテンツ視聴装置である場合、当該他のコンテンツ視聴装置に、前記視聴再開情報を送信する制御を行なう、請求項３に記載のコンテンツ視聴装置。
【請求項５】
前記送信制御手段は、前記視聴再開情報とともに、当該視聴再開情報に基づくコンテンツの続きを視聴するか否かの問合せを報知させるための問合せ情報を送信する制御を行なう、請求項３または請求項４に記載のコンテンツ視聴装置。
【請求項６】
前記送信制御手段は、前記視聴再開情報および前記問合せ情報とともに、当該問合せ情報に基づく問合せを報知させる期間を示す報知期間情報を送信する制御を行なう、請求項５に記載のコンテンツ視聴装置。
【請求項７】
前記検知手段は、さらに、前記他のコンテンツ視聴装置から当該他のコンテンツ視聴装置の状態を検知し、
前記制御部は、さらに、
前記状態検知手段によって検知された前記状態が、前記視聴再開情報を送信する予め定められた状態であるか否かを判断する判断手段を含み、
前記送信制御手段は、前記判断手段によって前記視聴再開情報を送信する予め定められた状態であると判断された状態の前記他のコンテンツ装置に、前記視聴再開情報を送信する制御を行なう、請求項３から請求項６までのいずれかに記載のコンテンツ視聴装置。
【請求項８】
制御部と、
前記制御部によって制御されてコンテンツ情報を受信する受信部と、
前記制御部により用いられる情報を記憶する記憶部と、
ユーザから所定の指示の入力を受付ける入力受付部と、
前記制御部によって制御されて他のコンテンツ視聴装置と互いに通信するための通信部と、
前記制御部によって制御されて前記受信部によって受信されたコンテンツ情報に基づくコンテンツを視聴可能なように出力する視聴出力部とを備え、
前記制御部は、
前記他のコンテンツ視聴装置から送信されてきた当該他のコンテンツ視聴装置で視聴されていたコンテンツの視聴を再開するための視聴再開情報を受信するように、前記通信部を制御する受信制御手段と、
前記通信部によって前記視聴再開情報が受信された場合、当該視聴再開情報を前記記憶部に記憶させる記憶制御手段と、
前記視聴出力部によって何らかの情報が出力されているときに、前記通信部によって前記視聴再開情報が受信された場合、または、前記記憶部に前記視聴再開情報が記憶されているときに、前記視聴出力部によって何らかの情報の出力が開始される場合、前記視聴再開情報に基づくコンテンツの続きを視聴するか否かの問合せをユーザに報知するよう、前記視聴出力部を制御する報知制御手段と、
前記入力受付部によって前記コンテンツの続きを視聴する指示の入力が受付けられた場合、前記通信部によって受信された前記視聴再開情報、または、前記記憶部に記憶された前記視聴再開情報に基づいて、前記他のコンテンツ視聴装置によって出力されていたコンテンツの続きを出力するよう、前記視聴出力部を制御する出力制御手段とを含む、コンテンツ視聴装置。
【請求項９】
制御部と、前記制御部によって制御されてコンテンツ情報を受信する受信部と、前記制御部によって制御されて他のコンテンツ視聴装置と互いに通信するための通信部と、前記制御部によって制御されて前記受信部によって受信されたコンテンツ情報に基づくコンテンツを視聴可能なように出力する視聴出力部とを備えるコンテンツ視聴装置で実行されるコンテンツ視聴プログラムであって、
前記通信部を制御することによって、通信することが可能な他のコンテンツ視聴装置を検知するステップと、
コンテンツの出力を終了する制御を行なう場合、前記視聴出力部によって出力されているコンテンツの視聴を再開するための視聴再開情報を、検知された前記他のコンテンツ視聴装置に送信するように、前記通信部を制御するステップとを前記制御部に実行させる、コンテンツ視聴プログラム。
【請求項１０】
制御部と、前記制御部によって制御されてコンテンツ情報を受信する受信部と、前記制御部により用いられる情報を記憶する記憶部と、ユーザから所定の指示の入力を受付ける入力受付部と、前記制御部によって制御されて他のコンテンツ視聴装置と互いに通信するための通信部と、前記制御部によって制御されて前記受信部によって受信されたコンテンツ情報に基づくコンテンツを視聴可能なように出力する視聴出力部とを備えるコンテンツ視聴装置で実行されるコンテンツ視聴プログラムであって、
前記他のコンテンツ視聴装置から送信されてきた当該他のコンテンツ視聴装置で視聴されていたコンテンツの視聴を再開するための視聴再開情報を受信するように、前記通信部を制御するステップと、
前記通信部によって前記視聴再開情報が受信された場合、当該視聴再開情報を前記記憶部に記憶させるステップと、
前記視聴出力部によって何らかの情報が出力されているときに、前記通信部によって前記視聴再開情報が受信された場合、または、前記記憶部に前記視聴再開情報が記憶されているときに、前記視聴出力部によって何らかの情報の出力が開始される場合、前記視聴再開情報に基づくコンテンツの続きを視聴するか否かの問合せをユーザに報知するよう、前記視聴出力部を制御するステップと、
前記入力受付部によって前記コンテンツの続きを視聴する指示の入力が受付けられた場合、前記通信部によって受信された前記視聴再開情報に基づいて、前記他のコンテンツ視聴装置によって出力されていたコンテンツの続きを出力するよう、前記視聴出力部を制御するステップとを前記制御部に実行させる、コンテンツ視聴プログラム。
【発明の詳細な説明】
【技術分野】
【０００１】
本発明は、コンテンツ視聴システム、コンテンツ視聴装置、および、コンテンツ視聴プログラムに関し、特に、コンテンツを他装置で継続して視聴するのに適したコンテンツ視聴システム、コンテンツ視聴装置、および、コンテンツ視聴プログラムに関する。
【背景技術】
【０００２】
従来、ある機器で視聴していたコンテンツの続きを、別の機器で視聴または録画する技術が実施、提案されている。たとえば、以下のような技術があげられる。
【０００３】
特許文献１には、各サーバ装置を一意に識別するための装置エンティティＩＤを、元の装置ＩＤに対応付けて生成し、コンテンツ再生要求信号を受信した時、それに含まれる装置エンティティＩＤに基づき要求先サーバ装置を特定し、それに対して指定コンテンツを要求し、要求先サーバ装置から要求元端末装置へと指定コンテンツを中継し、中継を監視し、中継の中断を検知し、中継の監視結果から該コンテンツの中断位置を示すコンテンツ中断情報を、装置エンティティＩＤと対応付けて生成する視聴情報管理装置が記載されている。この装置によれば、中断されたコンテンツを一元管理し、任意の中断コンテンツを、任意の端末装置にて、その中断位置から再生可能とすることができる。
【０００４】
特許文献２には、送信側装置により、コンテンツが出力され、中断指示が受付けられ、中断指示後データの記録が開始され、受信側装置により、継続指示が受付けられ、継続指示後データの記録が開始され、中断指示後データの送信が要求され、送信側装置により、要求受信を条件に中断指示後データの記録が終了され、それが第１，第２データに分割され、それぞれストリーム，コピー方式で送信先に送信され、受信側装置により、送信元からの第１データのコンテンツが出力され、送信元からの第２データの記録が開始され、第１データ出力後に第２データのコンテンツが出力され、連続するように継続指示後データのコンテンツが出力されるコンテンツ記録再生システムが記載されている。このシステムによれば、ネットワーク状態に応じて効率よくある装置で視聴のコンテンツを他装置で継続してタイムシフト視聴させることができる。
【先行技術文献】
【特許文献】
【０００５】
【特許文献１】特開２００６−３１９４４３号公報
【特許文献２】特開２００８−１０９４９０号公報
【発明の概要】
【発明が解決しようとする課題】
【０００６】
しかし、特許文献１の技術では、別途、視聴情報管理装置を用意する必要があり、コストが増加したり、構成が複雑になったりするといった問題がある。
【０００７】
また、特許文献１および特許文献２の技術では、継続視聴するために、視聴情報管理装置およびユーザがコンテンツを視聴していた送信側装置が、それぞれ、端末装置および受信側装置からの問い合わせを常に待っている必要があるといった問題がある。また、それに伴い、消費電力も多くなるので、効率が悪くなるといった問題も生じる。
【０００８】
さらに、特許文献１および特許文献２のいずれの技術でも、管理装置および送信側装置が、継続視聴をする装置を予測できないため、視聴が中断されたコンテンツの情報を一元管理する必要があったり、受信側装置で継続指示が受付けられるのを待つ必要があったりして、効率が悪くなるといった問題がある。
【０００９】
この発明は、上述の問題を解決するためになされたものであり、その目的の１つは、コンテンツが視聴されていたコンテンツ視聴装置と通信可能なコンテンツ視聴装置で効率良く継続して当該コンテンツを視聴させることが可能なコンテンツ視聴システム、コンテンツ視聴装置、および、コンテンツ視聴プログラムを提供することである。
【課題を解決するための手段】
【００１０】
上述の目的を達成するために、この発明のある局面によれば、コンテンツ視聴システムは、第１のコンテンツ視聴装置と１つまたは複数の第２のコンテンツ視聴装置とを含む。第１のコンテンツ視聴装置および第２のコンテンツ視聴装置は、それぞれ、制御部と、制御部によって制御されてコンテンツ情報を受信する受信部と、制御部によって制御されて他のコンテンツ視聴装置と互いに通信するための通信部と、制御部によって制御されて受信部によって受信されたコンテンツ情報に基づくコンテンツを視聴可能なように出力する視聴出力部とを備える。
【００１１】
第１のコンテンツ視聴装置の制御部は、通信部を制御することによって、通信することが可能な第２のコンテンツ視聴装置を検知する検知部と、第１のコンテンツ視聴装置でのコンテンツの出力を終了する制御を行なう場合、視聴出力部によって出力されているコンテンツの視聴を再開するための視聴再開情報を、検知部によって検知された第２のコンテンツ視聴装置に送信するように、通信部を制御する送信制御部とを含む。
【００１２】
第２のコンテンツ視聴装置の制御部は、第１のコンテンツ視聴装置から送信されてきた視聴再開情報を受信するように、通信部を制御する受信制御部と、通信部によって受信された視聴再開情報に基づいて、第１のコンテンツ視聴装置によって出力されていたコンテンツの続きを出力するよう、視聴出力部を制御する出力制御部とを含む。
【００１３】
この発明に従えば、第１のコンテンツ視聴装置によって、通信することが可能な第２のコンテンツ視聴装置が検知され、第１のコンテンツ視聴装置でのコンテンツの出力を終了される場合、出力されているコンテンツの視聴を再開するための視聴再開情報が、検知された第２のコンテンツ視聴装置に送信される。第２のコンテンツ視聴装置によって、第１のコンテンツ視聴装置から送信されてきた視聴再開情報が受信され、受信された視聴再開情報に基づいて、第１のコンテンツ視聴装置によって出力されていたコンテンツの続きが出力される。
【００１４】
その結果、コンテンツが視聴されていた第１のコンテンツ視聴装置と通信可能な第２のコンテンツ視聴装置で効率良く継続して当該コンテンツを視聴させることが可能なコンテンツ視聴システムを提供することができる。
【００１５】
好ましくは、第２のコンテンツ視聴装置は、さらに、制御部により用いられる情報を記憶する記憶部と、ユーザから所定の指示の入力を受付ける入力受付部とを備える。
【００１６】
第２のコンテンツ視聴装置の制御部は、さらに、通信部によって視聴再開情報が受信された場合、当該視聴再開情報を記憶部に記憶させる記憶制御部と、視聴出力部によって何らかの情報が出力されているときに、通信部によって視聴再開情報が受信された場合、または、記憶部に視聴再開情報が記憶されているときに、視聴出力部によって何らかの情報の出力が開始される場合、視聴再開情報に基づくコンテンツの続きを視聴するか否かの問合せをユーザに報知するよう、視聴出力部を制御する報知制御部とを含む。
【００１７】
出力制御部は、入力受付部によってコンテンツの続きを視聴する指示の入力が受付けられた場合、コンテンツの続きを出力する。
【００１８】
この発明に従えば、第２のコンテンツ視聴装置によって、当該視聴再開情報が記憶され、何らかの情報が出力されているときに視聴再開情報が受信された場合、または、視聴再開情報が記憶されているときに何らかの情報の出力が開始される場合、視聴再開情報に基づくコンテンツの続きを視聴するか否かの問合せがユーザに報知され、コンテンツの続きを視聴する指示の入力が受付けられた場合、コンテンツの続きが出力される。その結果、より効率良く継続してコンテンツを視聴させることができる。
【００１９】
この発明の他の局面によれば、コンテンツ視聴装置は、制御部と、制御部によって制御されてコンテンツ情報を受信する受信部と、制御部によって制御されて他のコンテンツ視聴装置と互いに通信するための通信部と、制御部によって制御されて受信部によって受信されたコンテンツ情報に基づくコンテンツを視聴可能なように出力する視聴出力部とを備える。
【００２０】
制御部は、通信部を制御することによって、通信することが可能な他のコンテンツ視聴装置を検知する検知部と、コンテンツの出力を終了する制御を行なう場合、視聴出力部によって出力されているコンテンツの視聴を再開するための視聴再開情報を、検知部によって検知された他のコンテンツ視聴装置に送信するように、通信部を制御する送信制御部とを含む。
【００２１】
この発明に従えば、コンテンツ視聴装置によって、通信することが可能な他のコンテンツ視聴装置が検知され、コンテンツの出力を終了する場合、出力されているコンテンツの視聴を再開するための視聴再開情報が、検知された他のコンテンツ視聴装置に送信される。
【００２２】
その結果、コンテンツが視聴されていた当該コンテンツ視聴装置と通信可能な他のコンテンツ視聴装置で効率良く継続して当該コンテンツを視聴させることが可能なコンテンツ視聴装置を提供することができる。
【００２３】
好ましくは、制御部は、さらに、検知部によって検知された他のコンテンツ視聴装置から当該他のコンテンツ視聴装置がコンテンツを出力可能であるか否かを示す出力可能情報を取得するよう、通信部を制御する取得部を含む。送信制御部は、通信部によって取得された出力可能情報がコンテンツを出力可能であることを示す他のコンテンツ視聴装置である場合、当該他のコンテンツ視聴装置に、視聴再開情報を送信する制御を行なう。
【００２４】
この発明に従えば、コンテンツ視聴装置によって、検知された他のコンテンツ視聴装置から当該他のコンテンツ視聴装置がコンテンツを出力可能であるか否かを示す出力可能情報が取得され、取得された出力可能情報がコンテンツを出力可能であることを示す他のコンテンツ視聴装置である場合、当該他のコンテンツ視聴装置に、視聴再開情報が送信される。その結果、より効率良く継続してコンテンツを視聴させることができる。
【００２５】
好ましくは、送信制御部は、視聴再開情報とともに、当該視聴再開情報に基づくコンテンツの続きを視聴するか否かの問合せを報知させるための問合せ情報を送信する制御を行なう。
【００２６】
この発明に従えば、コンテンツ視聴装置によって、視聴再開情報とともに、当該視聴再開情報に基づくコンテンツの続きを視聴するか否かの問合せを報知させるための問合せ情報が送信される。その結果、より効率良く継続してコンテンツを視聴させることができる。
【００２７】
さらに好ましくは、送信制御部は、視聴再開情報および問合せ情報とともに、当該問合せ情報に基づく問合せを報知させる期間を示す報知期間情報を送信する制御を行なう。
【００２８】
この発明に従えば、コンテンツ視聴装置によって、視聴再開情報および問合せ情報とともに、当該問合せ情報に基づく問合せを報知させる期間を示す報知期間情報が送信される。その結果、より効率良く継続してコンテンツを視聴させることができる。
【００２９】
好ましくは、検知部は、さらに、他のコンテンツ視聴装置から当該他のコンテンツ視聴装置の状態を検知し、制御部は、さらに、状態検知部によって検知された状態が、視聴再開情報を送信する予め定められた状態であるか否かを判断する判断部を含み、送信制御部は、判断部によって視聴再開情報を送信する予め定められた状態であると判断された状態の他のコンテンツ装置に、視聴再開情報を送信する制御を行なう。
【００３０】
この発明に従えば、コンテンツ視聴装置によって、他のコンテンツ視聴装置から当該他のコンテンツ視聴装置の状態が検知され、検知された状態が視聴再開情報を送信する予め定められた状態であるか否かが判断され、視聴再開情報を送信する予め定められた状態であると判断された状態の他のコンテンツ装置に、視聴再開情報が送信される。その結果、より効率良く継続してコンテンツを視聴させることができる。
【００３１】
この発明のさらに他の局面によれば、コンテンツ視聴装置は、制御部と、制御部によって制御されてコンテンツ情報を受信する受信部と、制御部により用いられる情報を記憶する記憶部と、ユーザから所定の指示の入力を受付ける入力受付部と、制御部によって制御されて他のコンテンツ視聴装置と互いに通信するための通信部と、制御部によって制御されて受信部によって受信されたコンテンツ情報に基づくコンテンツを視聴可能なように出力する視聴出力部とを備える。
【００３２】
制御部は、他のコンテンツ視聴装置から送信されてきた当該他のコンテンツ視聴装置で視聴されていたコンテンツの視聴を再開するための視聴再開情報を受信するように、通信部を制御する受信制御部と、通信部によって視聴再開情報が受信された場合、当該視聴再開情報を記憶部に記憶させる記憶制御部と、視聴出力部によって何らかの情報が出力されているときに、通信部によって視聴再開情報が受信された場合、または、記憶部に視聴再開情報が記憶されているときに、視聴出力部によって何らかの情報の出力が開始される場合、視聴再開情報に基づくコンテンツの続きを視聴するか否かの問合せをユーザに報知するよう、視聴出力部を制御する報知制御部と、入力受付部によってコンテンツの続きを視聴する指示の入力が受付けられた場合、通信部によって受信された視聴再開情報、または、記憶部に記憶された視聴再開情報に基づいて、他のコンテンツ視聴装置によって出力されていたコンテンツの続きを出力するよう、視聴出力部を制御する出力制御部とを含む。
【００３３】
この発明に従えば、コンテンツ視聴装置によって、他のコンテンツ視聴装置から送信されてきた当該他のコンテンツ視聴装置で視聴されていたコンテンツの視聴を再開するための視聴再開情報が受信され、視聴再開情報が受信された場合、当該視聴再開情報が記憶され、何らかの情報が出力されているときに視聴再開情報が受信された場合、または、視聴再開情報が記憶されているときに何らかの情報の出力が開始される場合、視聴再開情報に基づくコンテンツの続きを視聴するか否かの問合せがユーザに報知され、コンテンツの続きを視聴する指示の入力が受付けられた場合、受信された視聴再開情報または記憶された視聴再開情報に基づいて、他のコンテンツ視聴装置によって出力されていたコンテンツの続きが出力される。
【００３４】
その結果、コンテンツが視聴されていた他のコンテンツ視聴装置と通信可能な当該コンテンツ視聴装置で効率良く継続して当該コンテンツを視聴させることが可能なコンテンツ視聴装置を提供することができる。
【００３５】
この発明のさらに他の局面によれば、コンテンツ視聴プログラムは、制御部と、制御部によって制御されてコンテンツ情報を受信する受信部と、制御部によって制御されて他のコンテンツ視聴装置と互いに通信するための通信部と、制御部によって制御されて受信部によって受信されたコンテンツ情報に基づくコンテンツを視聴可能なように出力する視聴出力部とを備えるコンテンツ視聴装置で実行されるプログラムである。
【００３６】
コンテンツ視聴プログラムは、通信部を制御することによって、通信することが可能な他のコンテンツ視聴装置を検知するステップと、コンテンツの出力を終了する制御を行なう場合、視聴出力部によって出力されているコンテンツの視聴を再開するための視聴再開情報を、検知された他のコンテンツ視聴装置に送信するように、通信部を制御するステップとを制御部に実行させる。
【００３７】
この発明に従えば、コンテンツが視聴されていた当該コンテンツ視聴装置と通信可能な他のコンテンツ視聴装置で効率良く継続して当該コンテンツを視聴させることが可能なコンテンツ視聴プログラムを提供することができる。
【００３８】
この発明のさらに他の局面によれば、コンテンツ視聴プログラムは、制御部と、制御部によって制御されてコンテンツ情報を受信する受信部と、制御部により用いられる情報を記憶する記憶部と、ユーザから所定の指示の入力を受付ける入力受付部と、制御部によって制御されて他のコンテンツ視聴装置と互いに通信するための通信部と、制御部によって制御されて受信部によって受信されたコンテンツ情報に基づくコンテンツを視聴可能なように出力する視聴出力部とを備えるコンテンツ視聴装置で実行されるプログラムである。
【００３９】
コンテンツ視聴プログラムは、他のコンテンツ視聴装置から送信されてきた当該他のコンテンツ視聴装置で視聴されていたコンテンツの視聴を再開するための視聴再開情報を受信するように、通信部を制御するステップと、通信部によって視聴再開情報が受信された場合、当該視聴再開情報を記憶部に記憶させるステップと、視聴出力部によって何らかの情報が出力されているときに、通信部によって視聴再開情報が受信された場合、または、記憶部に視聴再開情報が記憶されているときに、視聴出力部によって何らかの情報の出力が開始される場合、視聴再開情報に基づくコンテンツの続きを視聴するか否かの問合せをユーザに報知するよう、視聴出力部を制御するステップと、入力受付部によってコンテンツの続きを視聴する指示の入力が受付けられた場合、通信部によって受信された視聴再開情報に基づいて、他のコンテンツ視聴装置によって出力されていたコンテンツの続きを出力するよう、視聴出力部を制御するステップとを制御部に実行させる。
【００４０】
この発明に従えば、コンテンツが視聴されていた他のコンテンツ視聴装置と通信可能な当該コンテンツ視聴装置で効率良く継続して当該コンテンツを視聴させることが可能なコンテンツ視聴プログラムを提供することができる。
【図面の簡単な説明】
【００４１】
【図１】この発明の実施の形態におけるコンテンツ視聴システムの概略的な構成を示す図である。
【図２】この実施の形態におけるテレビ受像機の構成の概略を示すブロック図である。
【図３】この実施の形態における携帯端末の構成の概略を示すブロック図である。
【図４】この実施の形態におけるテレビ受像機および携帯端末によってそれぞれ実行される継続視聴のための処理の流れを示すフローチャートである。
【図５】この実施の形態における継続視聴の動作の流れの第１の例を説明するための図である。
【図６】この実施の形態における継続視聴の動作の流れの第１の例の続きを説明するための図である。
【図７】この実施の形態における継続視聴の動作の流れの第２の例を説明するための図である。
【図８】この実施の形態における継続視聴の設定のための画面を示す図である。
【発明を実施するための形態】
【００４２】
以下、この発明の実施の形態について、図面を参照しながら詳細に説明する。なお、図中の同一または相当部分については、同一符号を付してその説明は繰返さない。
【００４３】
図１は、この発明の実施の形態におけるコンテンツ視聴システム１０の概略的な構成を示す図である。図１を参照して、コンテンツ視聴システム１０は、テレビ受像機１００、携帯端末２００Ａ〜２００Ｃ、テレビ放送の放送局の放送設備３００、ＷＷＷ（World Wide Web）サーバ４００、電気通信事業者（キャリア）の通信設備５００、ホームサーバ６００、および、ＷＡＮ（Wide Area Network）９００を含む。
【００４４】
ＷＡＮ９００は、電話交換網およびデジタル交換網の電気通信事業者が提供するネットワーク、ならびに、インターネットを含む。
【００４５】
放送局の放送設備３００は、テレビ放送の映像および音声が符号化されたデジタルデータをサーバから読出して、読出したデジタルデータを電気信号に変換して、変換した電気信号を電波としてアンテナ３０１から送信する。
【００４６】
放送局の放送には、地上デジタル放送、ＢＳ（Broadcasting Satellite）デジタル放送、ＣＳ（Communications Satellite）デジタル放送、アナログ放送、ＦＭ（Frequency Modulation）ラジオ放送、および、ＡＭ（Amplitude Modulation）ラジオ放送などがある。
【００４７】
なお、放送設備３００は、無線でテレビ放送を送信することに替えて、ケーブルテレビのように、有線でテレビ放送を送信するようにしてもよい。また、放送設備３００のサーバは、ＷＡＮ９００に接続されるようにしてもよい。
【００４８】
ＷＷＷサーバ４００は、ＷＡＮ９００に接続される。ＷＷＷサーバ４００は、クライアントコンピュータからの要求に応じて、文字情報、画像、映像および音声などのコンテンツを出力するためのコンテンツデータをクライアントコンピュータに送信する。なお、コンテンツには、放送される映像および音声も含まれる。
【００４９】
電気通信事業者の通信設備５００は、携帯端末２００Ａ〜２００Ｃと無線で接続可能であるとともに、ＷＡＮ９００に接続される。携帯端末２００Ａ〜２００Ｃの間の音声またはデータによる通信を取り持つとともに、携帯端末２００Ａ〜２００ＣとＷＡＮ９００に接続された装置または設備との間のデータまたは音声による通信を取り持つ。
【００５０】
ホームサーバ６００は、家庭内に設置され、家庭内ＬＡＮ（Local Area Network）に接続される。家庭内ＬＡＮは、インターネットプロバイダのサーバなどを介してＷＡＮ９００に接続される。ホームサーバ６００は、家庭内のＰＣ（Personal Computer）およびＡＶ（Audio Visual）機器などのコンテンツの再生機器（たとえば、テレビ受像機１００、携帯端末２００Ａ〜２００Ｃ）からの要求に応じて、映像および音声などのコンテンツを出力するためのコンテンツデータを再生機器に送信する。
【００５１】
テレビ受像機１００は、家庭内に設置され、家庭内ＬＡＮに接続される。また、テレビ受像機１００は、携帯端末２００Ａ〜２００Ｃと近距離通信することが可能である。
【００５２】
近距離通信は、本実施の形態においては、Ｂｌｕｅｔｏｏｔｈ（登録商標）を用いて行なわれるが、これに限定されず、ＩｒＤＡ（Infrared Data Association）、Ｚｉｇｂｅｅ（登録商標）、ＨｏｍｅＲＦ（登録商標）（Home Radio Frequency）、または、無線ＬＡＮ（IEEE802.11a、IEEE802.11b、IEEE802.11g）を用いて行なわれるようにしてもよい。
【００５３】
また、本実施の形態においては、テレビ受像機１００および携帯端末２００Ａ〜２００Ｃの通信経路が近距離である通信方式であることとするが、テレビ受像機１００および携帯端末２００Ａ〜２００Ｃが近くにある場合に少なくとも通信可能であるものであれば、これに限定されず、通信経路が近距離でない通信、たとえば、家庭内のルータを介するような有線ＬＡＮ、または、インターネットもしくは携帯電話網を経由するような通信であってもよい。
【００５４】
テレビ受像機１００は、放送局の放送設備３００から放送局のアンテナ３０１を介してテレビ放送の電波を電気信号として受信して、受信した電気信号をデジタルデータに変換し、変換したデジタルデータを復号したテレビ放送の映像および音声を出力する。
【００５５】
また、テレビ受像機１００は、ＬＡＮの外部のＷＷＷサーバ４００またはＬＡＮの内部のホームサーバ６００から取得したコンテンツデータで示されるコンテンツを出力する。
【００５６】
携帯端末２００Ａ〜２００Ｃは、テレビ受像機１００が設置される家庭内の人（たとえば、家族の父、母、子）によって所持される。携帯端末２００Ａ〜２００Ｃは、電気通信事業者の通信設備５００を介して他の携帯端末と、音声信号およびデータ信号をやりとりすることが可能である。つまり、ユーザは、携帯端末２００Ａ〜２００Ｃを用いて、他の携帯端末のユーザと、通話および電子メールなどのデータ通信をすることが可能である。
【００５７】
携帯端末２００Ａ〜２００Ｃは、前述したように、テレビ受像機１００と近距離通信することが可能である。携帯端末２００Ａ〜２００Ｃは、選択的に、テレビ受像機１００と同様、テレビ放送の映像および音声を出力する機能を有する。携帯端末２００Ａ〜２００Ｃは、選択的に、テレビ受像機１００と同様、ＬＡＮの外部または内部のサーバから取得したコンテンツデータで示されるコンテンツを出力する機能を有する。
【００５８】
図２は、この実施の形態におけるテレビ受像機１００の構成の概略を示すブロック図である。図２を参照して、テレビ受像機１００は、制御部１１０と、記憶部１２０と、操作部１３０と、出力部１４０と、赤外線受信部１５０と、放送受信部１６０と、近距離通信部１７０と、ネットワーク通信部１８０とを含む。
【００５９】
制御部１１０は、ＣＰＵ（Central Processing Unit）およびその補助回路からなり、記憶部１２０、操作部１３０、出力部１４０、赤外線受信部１５０、放送受信部１６０、近距離通信部１７０、および、ネットワーク通信部１８０を制御し、記憶部１２０に記憶されたプログラムまたはデータに従って所定の処理を実行し、操作部１３０、赤外線受信部１５０、放送受信部１６０、近距離通信部１７０およびネットワーク通信部１８０から入力されたデータを処理し、処理したデータを、記憶部１２０に記憶させたり、出力部１４０、近距離通信部１７０、または、ネットワーク通信部１８０に出力したりする。
【００６０】
記憶部１２０は、制御部１１０でプログラムを実行するために必要な作業領域として用いられるＲＡＭ（Random Access Memory）と、制御部１１０で実行するための基本的なプログラムを記憶するためのＲＯＭ（Read Only Memory）とを含む。また、ＲＡＭには、所定の処理を実行するためのデータまたはスクリプトなどのプログラムが、赤外線受信部１５０、放送受信部１６０、近距離通信部１７０、または、ネットワーク通信部１８０から読込まれて記憶される。さらに、記憶部１２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００６１】
操作部１３０は、主電源をオンしたりオフしたりするための主電源スイッチと、チャンネルを昇順または降順に切換えるためのチャンネル切換えボタンと、音量を増加させたり減少させたりするための音量ボタンとを含む。なお、操作部１３０は、他の操作のための部分を含むようにしてもよい。操作部１３０がユーザによって操作されることによって、操作部１３０から制御部１１０に操作に応じた操作信号が送信される。制御部１１０は、操作部１３０からの操作信号に応じてテレビ受像機１００の各部を制御する。
【００６２】
リモコン１５１は、テレビをスタンバイ状態にしたりオン状態にしたりするための電源スイッチと、チャンネルを特定のチャンネルに切換えるためのチャンネル指定ボタンと、音量を増加させたり減少させたりするための音量ボタンとを含む。なお、リモコン１５１は、他の操作のための部分を含むようにしてもよい。リモコン１５１がユーザによって操作されることによって、リモコン１５１から赤外線受信部１５０に操作に応じた操作信号が赤外線で送信される。
【００６３】
赤外線受信部１５０は、リモコン１５１からの操作信号を赤外線で受信し、受信した操作信号を制御部１１０に送信する。制御部１１０は、赤外線受信部１５０からの操作信号に応じてテレビ受像機１００の各部を制御する。
【００６４】
放送受信部１６０は、制御部１１０によって制御されて、放送局の放送設備３００からアンテナ１６１を介して受信した放送信号を復調し、復調した信号のうち動画圧縮データ（たとえば、ＭＰＥＧ（Moving Picture Experts Group）−２データ、ＭＰＥＧ−４データ、Ｈ．２６４データ）を復号して映像信号および音声信号に変換し、変換した映像信号および音声信号を出力部１４０に送信する。
【００６５】
近距離通信部１７０は、制御部１１０によって制御されて、近距離通信が可能な範囲にある他の近距離通信が可能な機器（本実施の形態においては、携帯端末２００）と、近距離通信でデータをやりとりする。近距離通信については、図１で説明したので重複する説明は繰返さない。
【００６６】
ネットワーク通信部１８０は、制御部１１０によって制御されて、ＬＡＮ８００を介して、他のネットワーク通信可能な機器、たとえば、前述したホームサーバ６００またはＷＷＷサーバ４００と、データをやりとりする。なお、前述したように、ＬＡＮ８００は、ＷＡＮ９００に接続される。
【００６７】
出力部１４０は、ディスプレイ（たとえば、ＬＣＤ（Liquid Crystal Display））およびスピーカを含む。出力部１４０は、制御部１１０によって制御されて、放送受信部１６０で受信された放送信号が変換された映像信号および音声信号、または、ネットワーク通信部１８０で受信されたコンテンツデータが制御部１１０で変換された映像信号および音声信号を、それぞれ、映像としてディスプレイに表示させ、音声としてスピーカから出力させる。
【００６８】
なお、テレビ受像機１００は、ＷＷＷサーバ４００またはホームサーバ６００から受信したコンテンツデータなどを記憶するハードディスクレコーダ部などの大容量記憶部を備えるようにしてもよい。
【００６９】
また、テレビ受像機１００は、赤外線受信部１５０の代わりに、双方向通信可能な赤外線通信部を含むように構成されるようにしてもよい。赤外線通信部は、赤外線受信部１５０の機能に加えて、近距離通信部１７０の機能を有するようにしてもよい。
【００７０】
図３は、この実施の形態における携帯端末２００の構成の概略を示すブロック図である。図３を参照して、携帯端末２００は、制御部２１０と、記憶部２２０と、操作部２３０と、音声入出力部２３５と、出力部２４０と、赤外線送受信部２５０と、放送受信部２６０と、近距離通信部２７０と、ネットワーク通信部２８０と、電話網通信部２９０とを含む。
【００７１】
制御部２１０は、ＣＰＵおよびその補助回路からなり、記憶部２２０、操作部２３０、音声入出力部２３５、出力部２４０、赤外線送受信部２５０、放送受信部２６０、近距離通信部２７０、ネットワーク通信部２８０、および、電話網通信部２９０を制御し、記憶部２２０に記憶されたプログラムまたはデータに従って所定の処理を実行し、操作部２３０、赤外線送受信部２５０、放送受信部２６０、近距離通信部２７０、ネットワーク通信部２８０、および、電話網通信部２９０から入力されたデータを処理し、処理したデータを、記憶部２２０に記憶させたり、出力部２４０、赤外線送受信部２５０、近距離通信部２７０、ネットワーク通信部２８０、または、電話網通信部２９０に出力したりする。
【００７２】
記憶部２２０は、図２で説明したテレビ受像機１００の記憶部１２０と同様であるので、重複する説明は繰返さない。
【００７３】
操作部２３０は、電話番号や各種データなどの数字やアルファベットやその他の文字などを入力するための、ダイヤルキー、十字操作キー、および、その他のファンクションキーを含む。なお、操作部２３０は、他の操作のための部分を含むようにしてもよい。たとえば、出力部２４０のディスプレイに設けられるタッチパネルを含むようにしてもよい。操作部２３０がユーザによって操作されることによって、操作部２３０から制御部２１０に操作に応じた操作信号が送信される。制御部２１０は、操作部２３０からの操作信号に応じて携帯端末２００の各部を制御する。
【００７４】
音声入出力部２３５は、マイクおよびスピーカで構成される。音声入出力部２３５は、制御部２１０によって制御されて、外部からマイクに入力された音声を音声信号に変換し、変換した音声信号を電話網通信部２９０に送信するとともに、電話網通信部２９０からの音声信号を音声に変換して、スピーカで外部に出力する。
【００７５】
電話網通信部２９０は、制御部２１０によって制御されて、通話相手の他の携帯端末または固定電話から電気通信事業者の通信設備５００およびアンテナ２９１を介して無線信号を受信し、受信した無線信号を音声信号に変換して、変換した音声信号を音声入出力部２３５に送信するとともに、音声入出力部２３５からの音声信号を無線信号に変換して、アンテナ２９１および電気通信事業者の通信設備５００を介して通話相手の他の携帯端末または固定電話に送信する。
【００７６】
また、電話網通信部２９０は、制御部２１０によって制御されて、データ通信が可能な機器、たとえば、ＷＷＷサーバ４００または他の携帯端末と、電気通信事業者の通信設備５００およびアンテナ２９１を介して無線信号を受信し、受信した無線信号をデータに変換して、変換したデータを記憶部２２０に記憶させたり、データを表示させるために出力部２４０に送信したりするとともに、送信するデータを無線信号に変換して、アンテナ２９１および電気通信事業者の通信設備５００を介してデータ通信先のＷＷＷサーバ４００または他の携帯端末に送信する。
【００７７】
赤外線送受信部２５０は、制御部２１０によって制御されて、赤外線通信が可能な範囲にある他の赤外線通信可能な機器と、赤外線通信でデータをやりとりする。
【００７８】
放送受信部２６０は、近距離通信部２７０、および、ネットワーク通信部２８０については、図２で説明したテレビ受像機１００の放送受信部１６０、近距離通信部１７０、および、ネットワーク通信部１８０と同様であるので、重複する説明は繰返さない。
【００７９】
出力部２４０は、ディスプレイおよびスピーカを含む。出力部２４０は、制御部２１０によって制御されて、放送受信部２６０で受信された放送信号が変換された映像信号および音声信号、または、ネットワーク通信部２８０もしくは電話網通信部２９０で受信されたコンテンツデータが制御部２１０で変換された映像信号および音声信号を、それぞれ、映像としてディスプレイに表示させ、音声としてスピーカから出力させる。
【００８０】
図４は、この実施の形態におけるテレビ受像機１００および携帯端末２００によってそれぞれ実行される継続視聴のための処理の流れを示すフローチャートである。図４を参照して、図４の左側のフローチャートがテレビ受像機１００側の継続視聴のための処理であり、図４の右側のフローチャートが携帯端末２００側の継続視聴のための処理である。なお、同じ結果が得られるのであれば、フローチャートの処理の順番を入替えてもよい。
【００８１】
なお、テレビ受像機１００と携帯端末２００とのＢｌｕｅｔｏｏｔｈ通信についてのペアリングは完了しており、テレビ受像機１００および携帯端末２００には、ペアリング済の機器に関するＢｌｕｅｔｏｏｔｈデバイスアドレスが記憶されているものとする。
【００８２】
テレビ受像機１００においては、本体の操作部１３０の主電源スイッチがオンにされることで、図４のフローチャートで示される処理が開始される。
【００８３】
まず、ステップＳ１０１で、テレビ受像機１００の制御部１１０は、ユーザによってリモコン１５１の電源スイッチが操作され、電源操作がされたことを示す操作信号が赤外線受信部１５０を介して受信されたか否かを検知することによって、電源操作がされたか否かを判断する。なお、このときには、テレビ受像機１００は、スタンバイ状態である。
【００８４】
リモコン１５１で電源操作がされていないと判断した場合（ステップＳ１０１でＮＯと判断された場合）、制御部１１０は、ステップＳ１０１の処理を繰返す。つまり、テレビ受像機１００は、スタンバイ状態とままとされる。
【００８５】
一方、リモコン１５１で電源操作がされたと判断した場合（ステップＳ１０１でＹＥＳと判断された場合）、ステップＳ１０２で、制御部１１０は、テレビ受像機１００をスタンバイ状態からオン状態に切換える制御をする。なお、テレビ受像機１００がオン状態のときにリモコン１５１で電源操作がされると、テレビ受像機１００は、スタンバイ状態に切換えられる。
【００８６】
ステップＳ１０２からステップＳ１１１までの間には、制御部１１０は、テレビ受像機１００の制御のためのさまざまな処理を実行する。たとえば、制御部１１０は、放送を受信して出力部１４０のディスプレイに表示させる制御をしたり、リモコン１５１からの操作に応じて、音量を制御したり、選局制御をしたり、放送種別（地上デジタル、ＢＳ、ＣＳ）を変更する制御をしたり、ＷＷＷサーバ４００またはホームサーバ６００などの外部装置からコンテンツデータを受信して、受信したコンテンツデータで示される映像または音声のコンテンツを再生する制御をしたり、受信したコンテンツデータで示される文字または画像のコンテンツを表示する制御をしたりする。
【００８７】
図５は、この実施の形態における継続視聴の動作の流れの第１の例を説明するための図である。図５を参照して、図５の左側のテレビ受像機１００の動作の流れの１番目の図で示すように、テレビ受像機１００がオン状態になり、１ｃｈが選択されると、１ｃｈの○放送が現在流している放送が出力部１４０のディスプレイに表示される。
【００８８】
図５の例においては、携帯端末２００Ａ〜２００Ｄをそれぞれ、家族の父、母、息子、および、娘が所持していることとする。そして、父の携帯端末２００Ａ、母の携帯端末２００Ｂ、および、息子の携帯端末２００Ｃが、テレビ受像機１００と近距離通信可能な範囲にある、つまり、テレビ受像機１００と近距離通信可能である。また、娘の携帯端末２００Ｄは、テレビ受像機１００と近距離通信可能な範囲にない、つまり、テレビ受像機１００と近距離通信不能である。
【００８９】
図４に戻って、ステップＳ１１１では、制御部１１０は、テレビ受像機１００がオン状態であるときに、リモコン１５１の電源スイッチの操作信号の受信を検知することによって、電源操作がされたか否かを判断する。リモコン１５１で電源操作がされていないと判断した場合（ステップＳ１１１でＮＯと判断した場合）、制御部１１０は、実行する処理をステップＳ１０２の直後の処理に戻す。
【００９０】
一方、リモコン１５１で電源操作がされたと判断した場合（ステップＳ１１１でＹＥＳと判断した場合）、ステップＳ１１２で、制御部１１０は、中断情報を作成し、作成した中断情報を記憶部１２０に一時的に記憶させる。表１〜表３は、この実施の形態における中断情報に含まれる情報を説明するため表である。
【００９１】
【表１】
2010287951.tif 000003
【００９２】
表１を参照して、中断情報には、たとえば、この情報の種別が「中断情報」である旨の情報、テレビ受像機１００で視聴されていたコンテンツ種別が「通常の地上デジタルテレビジョン放送（以下「フルセグ放送」または「１２セグメント放送」という）、または、携帯電話・移動体端末向けの１セグメント部分受信サービスの地上デジタルテレビジョン放送（以下「ワンセグ放送」または「ワンセグ」という）」である旨の情報、視聴されていたコンテンツを特定する情報が「６ｃｈ」である旨の情報、継続視聴する機器での視聴継続確認のためのメッセージの表示の有無が「有り」である旨の情報、および、当該メッセージの表示時間が「３分」である旨の情報が含まれる。
【００９３】
このような中断情報が継続視聴をする機器（本実施の形態においては携帯端末２００）に送信されることで、「ワンセグ放送の６ｃｈが視聴されていたこと」、「視聴継続確認のメッセージを３分表示させること」を継続視聴をする機器に伝達することができる。
【００９４】
【表２】
2010287951.tif 000004
【００９５】
また、表２を参照して、中断情報には、たとえば、この情報の種別が「中断情報」である旨の情報、テレビ受像機１００で視聴されていたコンテンツ種別が「ｍｐ４方式の動画」である旨の情報、視聴されていたコンテンツを特定する情報がＩＰアドレス「192.168.0.1」にあるファイル「movie01.mp4」である旨の情報、視聴を中断したポイントが「0:15:30/01:00:00」である旨の情報、継続視聴する機器での継続確認のためのメッセージの表示の有無が「有り」である旨の情報、および、当該メッセージの表示時間が「３分」である旨の情報が含まれる。
【００９６】
このような中断情報が継続視聴をする機器に送信されることで、「ＬＡＮのＩＰアドレス192.168.0.1のサーバのmovie01.mp4のｍｐ４形式の動画が全再生時間１時間０分０秒のうち０時間１５分３０秒まで視聴されていたこと」、「視聴継続確認のメッセージを３分表示させること」を継続視聴をする機器に伝達することができる。
【００９７】
【表３】
2010287951.tif 000005
【００９８】
また、表３を参照して、中断情報には、たとえば、この情報の種別が「中断情報」である旨の情報、テレビ受像機１００で視聴されていたコンテンツ種別が「ｍｐ４方式の動画」である旨の情報、視聴されていたコンテンツを特定する情報がＵＲＬ（Uniform Resource Locator）「http://aaa.sss.com/movie01.mp4」である旨の情報、視聴を中断したポイントが「0:15:30/01:00:00」である旨の情報、継続視聴する機器での継続確認のためのメッセージの表示の有無が「有り」である旨の情報、および、当該メッセージの表示時間が「３分」である旨の情報が含まれる。
【００９９】
このような中断情報が継続視聴をする機器に送信されることで、「ＵＲＬがhttp://aaa.sss.com/movie01.mp4のｍｐ４形式の動画が全再生時間１時間０分０秒のうち０時間１５分３０秒まで視聴されていたこと」、「視聴継続確認のメッセージを３分表示させること」を継続視聴をする機器に伝達することができる。
【０１００】
図４に戻って、ステップＳ１１３では、近距離通信部１７０を制御して、端末の情報を問合せる旨の端末情報取得要求を、通信可能な機器に通信先を指定せず、ペアリング済のすべての機器のＢｌｕｅｔｏｏｔｈデバイスアドレス宛てに送信する。
【０１０１】
図５に進んで、リモコン１５１で電源ボタンが押下されると、図４のステップＳ１１１でＹＥＳと判断されて、ステップＳ１１３の処理が実行されて、図５の左側のテレビ受像機１００の動作の流れの２番目の図で示すように、テレビ受像機１００から通信先を指定せずに端末情報取得要求が送信される。
【０１０２】
ここでは、父の携帯端末２００Ａ、母の携帯端末２００Ｂ、および、息子の携帯端末２００Ｄに、端末情報取得要求が送信される。しかし、娘の携帯端末２００Ｄは、テレビ受像機１００と近距離通信不能であるので、端末情報取得要求は送信されない。
【０１０３】
図４に戻って、携帯端末２００においては、電源がオンにされることで、図４のフローチャートで示される処理が開始される。
【０１０４】
まず、ステップＳ２１１までの間には、携帯端末２００の制御部２１０は、携帯端末２００の制御のためのさまざまな処理を実行する。たとえば、電話またはメールの着信があるか否かを確認するための処理、操作部１３０の操作に応じて、ワンセグ放送を受信して出力部２４０のディスプレイに表示させる制御をしたり、音量を制御したり、選局制御をしたり、ＷＷＷサーバ４００またはホームサーバ６００などの外部装置からコンテンツデータを受信して、受信したコンテンツデータで示される映像または音声のコンテンツを再生する制御をしたり、受信したコンテンツデータで示される文字または画像のコンテンツを表示する制御をしたりする。
【０１０５】
ステップＳ２１１では、制御部２１０は、近距離通信部２７０を制御して、他の機器（ここでは、テレビ受像機１００）から、端末情報取得要求を受信したか否かを検知する。受信したと検知した場合（ステップＳ２１１でＹＥＳと判断した場合）、ステップＳ２１２で、制御部２１０は、近距離通信部２７０を制御して、端末情報取得要求の送信元のテレビ受像機１００に、端末情報を送信する。表４は、この実施の形態における端末情報に含まれる情報を説明するための表である。
【０１０６】
【表４】
2010287951.tif 000006
【０１０７】
表４を参照して、端末情報には、たとえば、この情報の種別が「端末情報」である旨の情報、この装置の種類が「携帯端末」である旨の情報、この装置のアドレス（本実施の形態においてはＢｌｕｅｔｏｏｔｈデバイスアドレス）が「XX-XX-XX-XX-XX-XX」（Xは１桁の１６進数）である旨の情報、この装置のチューナが「地上デジタル（ワンセグ）」である旨の情報、この装置で再生可能なコンテンツが「動画（mpg,mp4,h26）、音楽（aac,ac3,mp3）」である旨の情報が含まれる。
【０１０８】
なお、装置種類には、「携帯端末」の他に、「テレビ受像機」および「レコーダ」などがある。チューナ種別には、「地上デジタル」の他に、「ＢＳ」および「ＣＳ」などがある。また、本実施の形態においては、近距離通信がＢｌｕｅｔｏｏｔｈで行なわれるため、アドレスがＢｌｕｅｔｏｏｔｈデバイスアドレスであることとしたが、アドレスは、近距離通信の方式によって定められ、たとえば、近距離通信が無線ＬＡＮで行なわれる場合は、アドレスがＩＰ（Internet Protocol）アドレスとなる。
【０１０９】
図４に戻って、他の機器から端末情報取得要求を受信していないと検知した場合（ステップＳ２１１でＮＯと判断した場合）、および、ステップＳ２１２の後、制御部２１０は、実行する処理をステップＳ２２１の処理に進める。
【０１１０】
図５に進んで、端末情報取得要求が受信されると、図４のステップＳ２１１でＹＥＳと判断されて、ステップＳ２１２の処理が実行されて、図５の右側の携帯端末２００の動作の流れの２番目の図で示すように、携帯端末２００Ａ〜２００Ｃからテレビ受像機１００に、それぞれ、端末情報が送信される。
【０１１１】
図４に戻って、テレビ受像機１００においては、ステップＳ１１４で、制御部１１０は、近距離通信部１７０を制御して、所定時間（たとえば、５秒）の間に携帯端末１００から端末情報を受信したか否かを検知する。所定時間の間に端末情報を受信していないと検知した場合（ステップＳ１１４でＮＯと判断した場合）、制御部１１０は、実行する処理をステップＳ１２１の処理に進める。
【０１１２】
一方、所定時間の間に端末情報を受信したと検知した場合（ステップＳ１１４でＹＥＳと判断した場合）、ステップＳ１１５で、制御部１１０は、近距離通信部１７０で受信された端末情報を記憶部１２０に一時的に記憶させる。表５は、この実施の形態におけるテレビ受像機１００の記憶部１２０に記憶される端末情報リストを説明するための表である。
【０１１３】
【表５】
2010287951.tif 000007
【０１１４】
表５を参照して、端末情報リストには、たとえば、端末情報を送信してきた端末の台数が３台であること、１番目に受信された端末情報のデータ構造、２番目に受信された端末情報のデータ構造、および、３番目に受信された端末情報のデータ構造が含まれる。３台以上の端末から端末情報が受信された場合は、端末情報リストに、さらに、受信された端末情報のデータ構造が含められる。
【０１１５】
図４に戻って、次に、ステップＳ１１６で、制御部１１０は、記憶部１２０の端末情報リストに未処理の端末情報が記憶されているか否かを判断する。未処理の端末情報が記憶されていないと判断した場合（ステップＳ１１６でＮＯと判断した場合）、制御部１１０は、実行する処理をステップＳ１２１の処理に進める。
【０１１６】
一方、未処理の端末情報が記憶されていると判断した場合（ステップＳ１１６でＹＥＳと判断した場合）、ステップＳ１１７で、制御部１１０は、その未処理の端末情報を記憶部１２０の端末情報リストから１件読出す。
【０１１７】
そして、ステップＳ１１８で、制御部１１０は、テレビ受像機１００で視聴されていた視聴対象のコンテンツが、端末情報で示される装置（ここでは、携帯端末２００）で視聴可能か否かを判断する。
【０１１８】
具体的には、視聴対象のコンテンツが、放送のコンテンツである場合、当該放送を受信可能なチューナが、端末情報のチューナ種別の情報に含まれているか否かが判断されることによって、視聴可能か否かが判断される。なお、テレビ受像機１００で視聴されていたのが地上デジタル放送である場合は、ワンセグ放送のチューナがあれば、視聴可能と判断されることとする。
【０１１９】
また、視聴対象のコンテンツが、他のサーバなどの機器から受信されたコンテンツである場合、当該コンテンツの種別が、端末情報の再生可能コンテンツの情報に含まれているか否かが判断されることによって、視聴可能か否かが判断される。
【０１２０】
視聴対象を視聴可能であると判断した場合（ステップＳ１１８でＹＥＳと判断した場合）、ステップＳ１１９で、制御部１１０は、近距離通信部１７０を制御して、ステップＳ１１２で記憶部１２０に記憶された中断情報を、当該端末情報のアドレスの装置に送信する。
【０１２１】
視聴対象を視聴可能でないと判断した場合（ステップＳ１１８でＮＯと判断した場合）、および、ステップＳ１１９の後、制御部１１０は、実行する処理をステップＳ１１６の処理に戻す。
【０１２２】
図５に進んで、端末情報が受信されると、図４のステップＳ１１４およびステップＳ１１６でＹＥＳと判断されて、ステップＳ１１８で、視聴対象を視聴可能であると判断された携帯端末に中断情報が送信される。
【０１２３】
ここでは、視聴対象が地上デジタル放送の１ｃｈであり、父の携帯端末２００Ａおよび息子の携帯端末２００Ｃには地上デジタル放送のワンセグ放送のチューナが設けられているおり、その旨の端末情報がテレビ受像機１００に送信されるため、視聴対象を視聴可能であると判断されて、中断情報が送信される。
【０１２４】
一方、母の携帯端末２００Ｂには、ワンセグ放送のチューナが設けられておらず、その旨の端末情報がテレビ受像機１００に送信されるため、視聴対象を視聴不能であると判断されて、中断情報が送信されない。
【０１２５】
図４に戻って、携帯端末２００においては、ステップＳ２２１で、制御部２１０は、近距離通信部２７０を制御して、他の機器（ここでは、テレビ受像機１００）から、中断情報を受信したか否かを検知する。受信していないと検知した場合（ステップＳ２２１でＮＯと判断した場合）、制御部２１０は、実行する処理をステップＳ２１１の前の最初の処理に戻す。
【０１２６】
一方、中断情報を受信したと検知した場合（ステップＳ２２１でＹＥＳと判断した場合）、ステップＳ２２２で、制御部２１０は、近距離通信部２７０で受信された中断情報を記憶部２２０に一時的に記憶させる。
【０１２７】
次に、ステップＳ２２３で、制御部２１０は、出力部２４０に何らかの表示制御をしているか否かを、つまり、画面がオンであるか否かを判断する。画面がオンでないと判断した場合（ステップＳ２２３でＮＯと判断した場合）、ステップＳ２２４で、制御部２１０は、ステップＳ２２１で中断情報を受信してから、中断情報のメッセージ表示時間（前述の表１〜表３の中断情報では、３分）が経過したか否かを判断する。
【０１２８】
メッセージ表示時間が経過していないと判断した場合（ステップＳ２２４でＮＯと判断した場合）、制御部２１０は、実行する処理をステップＳ２２３の処理に戻す。一方、メッセージ表示時間が経過したと判断した場合（ステップＳ２２４でＹＥＳと判断した場合）、制御部２１０は、実行する処理をステップＳ２２９の処理に進める。
【０１２９】
中断情報が受信されたときから画面がオンであったり、メッセージ表示時間の間に画面がオンになったりして、画面がオンであると判断した場合（ステップＳ２２３でＹＥＳと判断した場合）、ステップＳ２２５で、制御部２１０は、出力部２４０を制御して、継続視聴するか否かをユーザに問合せる選択画面を表示する。
【０１３０】
図６は、この実施の形態における継続視聴の動作の流れの第１の例の続きを説明するための図である。この図は、図５における携帯端末２００Ａ，２００Ｃにおいて中断情報が受信された後の流れを詳細に示す。
【０１３１】
図６を参照して、父の携帯端末２００Ａでは、中断情報が受信されたときに画面がオンであるので、図４のステップＳ２２３でＹＥＳと判断され、ステップＳ２２５で、選択画面が表示される。
【０１３２】
一方、息子の携帯端末２００Ａは、中断情報が受信されたときには画面がオンでないので、図４のステップＳ２２３でＮＯと判断される。そして、メッセージ表示時間内に画面がオンにされると、図４のステップＳ２２４でＹＥＳと判断されずに、ステップＳ２２３でＹＥＳと判断されて、ステップＳ２２５で、選択画面が表示される。
【０１３３】
選択画面には、テレビ受像機１００で視聴されていたコンテンツである地上デジタル放送の１ｃｈの○放送の△△スポーツを継続して視聴するか否かを確認する旨の文書、「視聴する」ことを選択するためのボタン、および、「視聴しない」ことを選択するためのボタンが表示される。
【０１３４】
図４に戻って、ステップＳ２２６では、制御部２１０は、操作部２３０から「視聴する」が選択された旨の操作信号が受信されたか否かを判断する。「視聴する」の操作信号が受信されていないと判断した場合（ステップＳ２２６でＮＯと判断した場合）、ステップＳ２２７で、制御部２１０は、操作部２３０から「視聴しない」が選択された旨の操作信号が受信されたか否か、または、ステップＳ２２１で中断情報を受信してから、中断情報のメッセージ表示時間が経過したか否かを判断する。
【０１３５】
「視聴しない」の操作信号が受信されておらず、かつ、メッセージ表示時間が経過していないと判断した場合（ステップＳ２２７でＮＯと判断した場合）、制御部２１０は、実行する処理をステップＳ２２６の処理に戻す。一方、「視聴しない」の操作信号が受信された、または、メッセージ表示時間が経過したと判断した場合（ステップＳ２２７でＹＥＳと判断した場合）、制御部２１０は、実行する処理をステップＳ２２９の処理に進める。
【０１３６】
「視聴する」の操作信号が受信されたと判断した場合（ステップＳ２２６でＹＥＳと判断した場合）、ステップＳ２２８で、制御部２１０は、放送受信部２６０、ネットワーク通信部２８０または電話網通信部２９０を制御して、ステップＳ２２２で記憶部２２０に記憶された中断情報に基づき、テレビ受像機１００で視聴されていたコンテンツを受信して、出力部２４０を制御して、受信されたコンテンツを継続して出力する。その後、制御部２１０は、実行する処理をステップＳ２２９の処理に進める。
【０１３７】
ステップＳ２２９では、制御部２１０は、ステップＳ２２２で記憶部２２０に記憶された中断情報を消去する。その後、実行する処理をステップＳ２１１の前の最初の処理に戻す。
【０１３８】
図６に進んで、父の携帯端末２００Ａおよび息子の携帯端末２００Ｃに表示された選択画面で「視聴する」が選択された場合、図４のステップＳ２２６でＹＥＳと判断されて、ステップＳ２２８で、中断情報に基づいてテレビ受像機１００で視聴されていたコンテンツである地上デジタル放送のワンセグ放送の１ｃｈの出力が開始される。
【０１３９】
一方、父の携帯端末２００Ａおよび息子の携帯端末２００Ｃに表示された選択画面で「視聴しない」が選択された場合は、図４のステップＳ２２７でＹＥＳと判断され、いずれも選択されずにメッセージ表示時間が経過した場合は、図４のステップＳ２２７でＹＥＳと判断され、息子の携帯端末２００Ｃで画面がオンにされずにメッセージ表示時間が経過した場合は、図４のステップＳ２２４でＹＥＳと判断され、それぞれ、ステップＳ２２８に処理が進められずにステップＳ２２９に処理が進められるために、ステップＳ２２８でテレビ受像機１００で視聴されていたコンテンツの出力が開始されることなく、待ち受け画面、または、元の画面に戻る。
【０１４０】
このように、携帯端末２００Ａ，２００Ｃでの選択画面の表示時間を有限とすることで、継続視聴が行なわれない場合に、継続視聴を行なわない旨の操作をしなくても表示時間が経過すると選択画面の表示が終了されるので、無駄な操作をすること無しに無駄な選択画面の表示を終了させることができる。
【０１４１】
また、ライブ放送のようなリアルタイム性の高いコンテンツの場合は、時間が経ち過ぎると、継続視聴の意味合いが薄れるために、自動的に継続視聴のための処理をキャンセル（選択画面の消去）をしてしまうことにより、利便性を向上させることができる。
【０１４２】
図４に戻って、ステップＳ１２１では、制御部１１０は、ステップＳ１１２で記憶部１２０に記憶された中断情報およびステップＳ１１５で記憶部１２０に記憶された端末情報をそれぞれ記憶部１２０から消去する。
【０１４３】
次いで、ステップＳ１２２で、制御部１１０は、テレビ受像機１００をオン状態からスタンバイ状態に切換える制御をする。つまり、テレビ受像機１００をスタンバイ状態にする操作がされてから、継続視聴のための処理が終了した後に、テレビ受像機１００がスタンバイ状態にされる。その後、制御部１１０は、実行する処理をステップＳ１０１の処理に戻す。
【０１４４】
図５に進んで、継続視聴のための動作が終了した後、図５の左側のテレビ受像機１００の動作の流れの最後である４番目の図で示すように、図４のステップＳ１２２の処理が実行されることによって、テレビ受像機１００がスタンバイ状態になり、画面表示がオフになる。
【０１４５】
図７は、この実施の形態における継続視聴の動作の流れの第２の例を説明するための図である。前述した図５においては、テレビ受像機１００によって放送局の放送設備３００から受信され出力されている放送を携帯端末２００Ａ，Ｃで継続視聴する場合の動作の流れについて説明した。図７においては、テレビ受像機１００によってＷＷＷサーバ４００から取得され再生されているコンテンツＡを携帯端末２００Ａで継続視聴する場合の動作の流れについて説明する。
【０１４６】
図７を参照して、図７の左側のテレビ受像機１００の動作の流れの１番目の図で示すように、図４のステップＳ１０２で、テレビ受像機１００がオン状態にされ、ＷＷＷサーバ４００のインターネットサービスの動画コンテンツであるコンテンツＡを再生する操作がされると、テレビ受像機１００によって、コンテンツＡがＷＷＷサーバ４００からＷＡＮ９００を介して取得され、コンテンツＡが再生されて出力部１４０のディスプレイに表示される。この図では、コンテンツＡの全再生時間である１時間０分０秒のうち０時間１５分３０秒まで再生が進んだことが示されている。
【０１４７】
図７の例においては、携帯端末２００Ａが、テレビ受像機１００と近距離通信可能な範囲にある、つまり、テレビ受像機１００と近距離通信可能である。
【０１４８】
テレビ受像機１００側で、リモコン１５１で電源ボタンが押下されると、図４のステップＳ１１１でＹＥＳと判断されて、ステップＳ１１３の処理が実行されて、図５の左側のテレビ受像機１００の動作の流れの２番目の図で示すように、テレビ受像機１００からペアリング済のすべての端末に端末情報取得要求が送信される。ここでは、携帯端末２００Ａに端末情報取得要求が送信される。
【０１４９】
携帯端末２００Ａ側で、端末情報取得要求が受信されると、図４のステップＳ２１１でＹＥＳと判断されて、ステップＳ２１２の処理が実行されて、図７の右側の携帯端末２００の動作の流れの２番目の図で示すように、携帯端末２００Ａからテレビ受像機１００に、端末情報が送信される。
【０１５０】
テレビ受像機１００側で、端末情報が受信されると、図４のステップＳ１１４およびステップＳ１１６でＹＥＳと判断されて、ステップＳ１１８で、視聴対象を視聴可能であると判断された携帯端末に中断情報が送信される。
【０１５１】
ここでは、視聴対象がＷＷＷサーバ４００のコンテンツＡであり、コンテンツＡがｍｐｇ形式であるとし、携帯端末２００Ａでｍｐｇ形式のコンテンツが再生可能であり、その旨の端末情報がテレビ受像機１００に送信されるとすると、テレビ受像機１００によって、携帯端末２００が視聴対象を視聴可能であると判断されて、当該携帯端末に中断情報が送信される。
【０１５２】
携帯端末２００Ａでは、中断情報が受信されたときに画面がオンであるので、図４のステップＳ２２３でＹＥＳと判断され、ステップＳ２２５で、選択画面が表示される。
【０１５３】
選択画面には、テレビ受像機１００で視聴されていたコンテンツであるＷＷＷサーバ４００（ＵＲＬ＝http：//xxxxxxxxxxxxxx）のコンテンツＡ（０時間１５分３０秒まで再生済）を継続して視聴するか否かを確認する旨の文書、「視聴する」ことを選択するためのボタン、および、「視聴しない」ことを選択するためのボタンが表示される。
【０１５４】
携帯端末２００Ａに表示された選択画面で「視聴する」が選択された場合、図４のステップＳ２２６でＹＥＳと判断されて、ステップＳ２２８で、中断情報に基づいてテレビ受像機１００で視聴されていたコンテンツであるコンテンツＡ（０時間１５分３０秒まで再生済）がＷＷＷサーバ４００（ＵＲＬ＝http：//xxxxxxxxxxxxxx）からＷＡＮ９００を介して取得されて、コンテンツＡの出力が開始される。
【０１５５】
一方、携帯端末２００Ａに表示された選択画面で「視聴しない」が選択された場合は、図４のステップＳ２２７でＹＥＳと判断され、ステップＳ２２８でテレビ受像機１００で視聴されていたコンテンツの出力が開始されることなく、待ち受け画面、または、元の画面に戻る。
【０１５６】
継続視聴のための動作が終了した後、図７の左側のテレビ受像機１００の動作の流れの最後である３番目の図で示すように、図４のステップＳ１２２の処理が実行されることによって、テレビ受像機１００がスタンバイ状態になり、画面表示がオフになる。
【０１５７】
図８は、この実施の形態における継続視聴の設定のための画面を示す図である。図８を参照して、継続視聴の設定のための継続視聴設定画面には、継続視聴のための処理を行なうか否かを設定するためのセレクトメニュー付きの第１のテキストボックス、継続視聴のための処理を行なうときに、継続視聴される側の機器で継続視聴をするか否かを確認するための選択画面を表示するか否かを設定するためのセレクトメニュー付きの第２のテキストボックス、および、選択画面の表示時間を入力するための第３のテキストボックスが表示される。
【０１５８】
第１のテキストボックスにおいては、継続視聴のための処理を行なう旨の「する」、または、継続視聴のための処理を行なわない旨の「しない」を選択可能である。
【０１５９】
第２のテキストボックスにおいては、継続視聴される側の機器で選択画面を表示する旨の「選択画面表示」、または、継続視聴される側の機器で選択画面を表示させずにすぐに継続視聴を開始させる旨の「すぐに継続視聴」を選択可能である。
【０１６０】
第３のテキストボックスにおいては、１分から６０分までの１分単位で、選択画面の表示時間を設定することが可能である。
【０１６１】
継続視聴設定画面は、テレビ受像機１００の設定画面の１つとして設けられる。テレビ受像機１００のリモコン１５１または操作部１３０によって、継続視聴設定画面を表示させて、各テキストボックスの設定をすることが可能である。
【０１６２】
なお、第１のテキストボックスで、継続視聴のための処理を行なわない旨の「しない」が選択された場合、第２のテキストボックスおよび第３のテキストボックスは、グレーアウトされ、設定不能とされる。また、第２のテキストボックスで「すぐに継続視聴」が選択された場合、第３のテキストボックスは、グレーアウトされ、設定不能とされる。
【０１６３】
次に、この実施の形態におけるコンテンツ視聴システム１０によって奏される効果について説明する。
【０１６４】
携帯端末２００の接続状態が確認されてから、中断情報が近距離通信で送信されるので、テレビ受像機１００で視聴されていたコンテンツを、テレビ受像機１００の近傍で視聴していたユーザが所有する携帯端末でのみ、継続視聴をさせることができる。このため、テレビ受像機１００でコンテンツを視聴していたと考えられるユーザの携帯端末を含む携帯端末２００にのみ、中断情報を送信でき、無駄な情報を送信すること無しに、続きを見たいであろうユーザが容易に継続視聴できる環境を提供できる。
【０１６５】
携帯端末２００のコンテンツを出力する機能（チューナの有無、ブラウザの有無、再生可能なファイル形式の情報など）を取得して、継続視聴が可能な携帯端末２００にのみ中断情報を送信するため、無駄な情報を送信すること無しに、続きを見ることが可能なユーザの携帯端末でのみ容易に継続視聴することができる環境を提供できる。
【０１６６】
携帯端末２００の状態（近距離通信可能か否か）を確認してから中断情報を送信するため、近距離通信可能なユーザの携帯端末でのみ容易に継続視聴することができる環境を提供できる。これらの効果は、携帯端末が複数であっても奏される。
【０１６７】
予め中断情報を送信しているので、携帯端末２００で継続視聴が開始される際に、テレビ受像機１００と携帯端末２００が通信可能でなくてもよく、携帯端末２００で継続視聴が開始される際に、テレビ受像機１００と携帯端末２００が通信する必要を無くすることができる。
【０１６８】
また、視聴が中断される側の機器では、中断情報が送信されると、継続視聴される側の機器で継続視聴が開始されるのを待つことなく、継続視聴のための処理を終了させることができるので、その後に、継続視聴される側の機器と連携処理したり、継続視聴される側の機器からの問合せを待機したりする必要を無くすることができる。
【０１６９】
また、視聴が中断される側の機器および継続視聴される側の機器以外に、特別な機器を設ける必要がないので、システムの構成を簡単にすることができる。
【０１７０】
次に、上述した実施の形態の変形例について説明する。
（１）  前述した実施の形態においては、視聴が中断される側の機器（テレビ受像機１００）と継続視聴される側の機器（携帯端末２００）との近距離通信がＢｌｕｅｔｏｏｔｈで行なわれることとした。このため、テレビ受像機１００および携帯端末２００に、Ｂｌｕｅｔｏｏｔｈで近距離通信を行なうための近距離通信部１７０，２７０をそれぞれ設けるようにした。
【０１７１】
しかし、近距離通信を無線ＬＡＮで行なうようにする場合は、ネットワーク通信部１８０，２８０が近距離通信部１７０，２７０の代わりに近距離通信を行なうので、テレビ受像機１００および携帯端末２００のそれぞれに近距離通信部１７０，２７０を設けないようにしてもよい。ただし、テレビ受像機１００が接続される家庭内のＬＡＮ８００に無線ＬＡＮのアクセスポイントが接続されるようにし、当該アクセスポイントをテレビ受像機１００の近辺に設置する必要がある。
【０１７２】
この場合、テレビ受像機１００のネットワーク通信部１８０が、無線ＬＡＮのアクセスポイントの機能を有するようにして、テレビ受像機１００および携帯端末２００が直接通信するようにしてもよい。
【０１７３】
また、近距離通信をＩｒＤＡで行なうようにする場合は、赤外線受信部１５０および赤外線送受信部２５０が近距離通信部１７０，２７０の代わりに近距離通信を行なうので、テレビ受像機１００および携帯端末２００のそれぞれに近距離通信部１７０，２７０を設けないようにしてもよい。ただし、テレビ受像機１００の赤外線受信部１５０を、携帯端末２００の赤外線送受信部２５０と通信可能な赤外線送受信部に変更する必要がある。
【０１７４】
（２）  前述した実施の形態においては、中断情報は、コンテンツを特定可能な情報を含むようにした。しかし、これに限定されず、中断情報に、コンテンツそのもののデータを含むようにしてもよい。
【０１７５】
（３）  前述した実施の形態においては、継続視聴される側の機器（携帯端末２００）の画面表示がオフの場合であっても中断情報を送信するようにした。しかし、これに限定されず、継続視聴される側の機器の画面表示がオフの場合は、中断情報を送信しないようにしてもよい。
【０１７６】
（４）  前述した実施の形態においては、視聴が中断される側の機器であるテレビ受像機１００側で、図８で説明した継続視聴設定画面で継続視聴のための設定を行なうようにした。しかし、これに限定されず、継続視聴される側の機器（たとえば、携帯端末２００）側で、継続視聴のための設定を行なうようにしてもよい。これにより、継続視聴される側の機器が個人ごとに用いられる機器（たとえば、携帯端末２００）であれば、個人ごとに、継続視聴に関してカスタマイズすることが可能となり、ユーザの利便性を向上させることができる。
【０１７７】
（５）  前述した実施の形態においては、Ｂｌｕｅｔｏｏｔｈの通信において、テレビ受像機１００がマスターとされ、それ以外の機器（携帯端末２００Ａ〜２００Ｄ）がスレーブとされる。接続確認は、スタンバイ状態への切換え時にテレビ受像機１００が、機器探索するようししてもよいし、予めペアリングしたときに、機器情報リストをテレビ受像機１００が記憶しておき、スタンバイ状態への切換え時に毎回機器探索しないようにしてもよい。
【０１７８】
（６）  前述した実施の形態においては、図４で説明したように、テレビ受像機１００において、ステップＳ１１１で電源操作がされたと判断されてから、ステップＳ１１２からステップＳ１２１までで継続視聴のための処理を行なった後に、ステップＳ１２２で、実際にスタンバイ状態に切換える制御を行なうようにした。
【０１７９】
しかし、これに限定されず、電源操作がされたと判断された直後に、実際にスタンバイ状態に切換えた後に、継続視聴のための処理を行なうようにしてもよい。
【０１８０】
（７）  前述した実施の形態においては、テレビ受像機１００においてユーザによって電源操作がされることを契機に、継続視聴のための処理を行ない、その後にスタンバイ状態に切換える制御を行なうようにした。しかし、これに限定されず、ユーザによって継続視聴をする旨の操作がされることを契機に、継続視聴のための処理を行ない、その後に電源はオン状態のままとするようにしてもよい。
【０１８１】
このようにすれば、たとえば、息子は携帯端末２００で継続視聴するが、父はテレビ受像機１００で続けて視聴する場合など、継続視聴のための処理を行なった場合もテレビ受像機１００での視聴を継続したい場合であっても、携帯端末２００で継続視聴するための処理を行なうことができる。
【０１８２】
この場合に、継続視聴をする旨の操作がされたときに、継続視聴させる側の機器だけでなく、テレビ受像機１００でも継続して視聴するか否かを確認するようにしてもよい。
【０１８３】
（８）  前述した実施の形態においては、継続視聴のための処理が終了した後、図４のステップＳ１２１で中断情報を消去するようにした。しかし、これに限定されず、中断情報を消去しないで、後で、テレビ受像機１００がオン状態とされたときに、記憶部１２０に記憶された中断情報を利用できるようにしてもよい。これにより、テレビ受像機１００でも時間が経過した後に継続視聴することが可能となる。
【０１８４】
（９）  前述した実施の形態においては、図７では、外部のＷＷＷサーバ４００からのコンテンツデータで示されるコンテンツを継続視聴する例を説明した。この外部のＷＷＷサーバ４００に替えて、家庭内のホームサーバ６００など他のサーバからのコンテンツデータで示されるコンテンツを継続視聴するようにしてもよい。
【０１８５】
たとえば、ホームサーバ６００の場合は、ＤＬＮＡ（Digital Living Network Alliance）ガイドラインに準拠した方式で、動画および音楽などのコンテンツが共有され、テレビ受像機１００は、放送コンテンツ以外にこれらのコンテンツをストリーミング再生する機能を必要とする。この場合は、前述したように、表４で説明した再生可能コンテンツを用いられて、継続視聴される側の機器で視聴対象を視聴可能か否かが判断される。
【０１８６】
（１０）  前述した実施の形態においては、視聴が中断される側の機器、および、継続視聴される側の機器が、それぞれ、テレビ受像機１００、および、携帯端末２００であることとした。しかし、これに限定されず、逆であってもよいし、いずれも携帯端末２００であってもよいし、いずれもテレビ受像機であってもよいし、コンテンツ（放送を含む）を視聴可能な他の機器の組合せであってもよい。
【０１８７】
（１１）  前述した実施の形態においては、コンテンツを視聴していた機器の電源がスタンバイ状態に切換えられるときを契機として、継続視聴のための処理を実行するようにした。しかし、これに限定されず、コンテンツの再生の停止、および、放送のチャンネルの切換えを、継続視聴のための処理を行なう契機としてもよい。
【０１８８】
（１２）  前述した実施の形態においては、視聴が中断される側の機器（テレビ受像機１００）が、継続視聴される側の機器（携帯端末２００）で視聴対象を視聴可能か否かを判断するようにして、視聴可能な機器にのみ、中断情報を送信するようにした。
【０１８９】
しかし、これに限定されず、視聴が中断される側の機器では、継続視聴される側の機器で視聴対象が視聴可能か否かを判断せずに、すべての近距離通信可能な継続視聴される側の機器に、中断情報を送信するようにして、継続視聴される側の機器が、視聴対象を視聴可能か否かを判断するようにしてもよい。このようにした場合、端末情報取得要求および端末情報は不要となる。
【０１９０】
（１３）  前述した実施の形態においては、継続視聴される側の機器（携帯端末２００）で、いかなる処理が行なわれていても、画面がオン状態であれば、図４のステップＳ２２５で、確認画面を表示させるようにした。しかし、これに限定されず、視聴が中断される側の機器（テレビ受像機１００）から中断情報が送信されてきたときに、画面がオン状態であっても、特定の処理、たとえば、通話処理または他のコンテンツの再生処理が行なわれているときには、確認画面を表示させないようにしてもよい。
【０１９１】
また、端末情報に携帯端末２００で行なわれている処理を示す旨の情報を含めるようにして、テレビ受像機１００は、端末情報に基づいて、特定の処理、たとえば、通話処理または他のコンテンツの再生処理が行なわれている携帯端末２００には、中断情報を送信しないようにしてもよい。
【０１９２】
（１４）  前述した実施の形態においては、テレビ受像機１００の制御部１１０および携帯端末２００の制御部２１０によって図４の処理で示されるソフトウェアが実行されることにより、それぞれ、制御部１１０，２１０に所定の機能を有する部分が構成されるようにした。しかし、これに限定されず、図４の処理で示される機能が、ハードウェアで、制御部１１０，２１０に構成されるようにしてもよい。
【０１９３】
（１５）  この発明は、コンテンツ視聴システム１０の発明、ならびに、当該システムで実行される視聴方法の発明、ならびに、コンテンツ視聴システム１０に含まれる視聴が中断される側の機器（たとえば、テレビ受像機１００）の発明、ならびに、当該機器で実行される視聴方法の発明および視聴プログラムの発明、ならびに、コンテンツ視聴システム１０に含まれる継続視聴される側の機器（たとえば、携帯端末２００）の発明、ならびに、当該機器で実行される視聴方法の発明および視聴プログラムの発明、ならびに、それらの視聴プログラムを記録したコンピュータ読取可能な記録媒体の発明として捉えることができる。
【０１９４】
コンピュータ読取可能な記録媒体としては、磁気テープ、カセットテープ、フレキシブルディスク、ハードディスク等の磁気ディスク、ＣＤ−ＲＯＭ（Compact Disk Read Only Memory）、ＤＶＤ（Digital Versatile Disk）等の光ディスク、ＭＯ（Magneto Optical disk）、ＭＤ（登録商標）（MiniDisc）等の光磁気ディスク、ＩＣカード、光カード等のメモリカード、あるいは、マスクＲＯＭ，ＥＰＲＯＭ（Erasable Programmable Read Only Memory）、ＥＥＰＲＯＭ（Electrionically Erasable and Programmable Read Only Memory）、フラッシュＲＯＭ等の半導体メモリを含めた、固定的にプログラムを担持する記録媒体であってもよいし、ネットワークからプログラムがダウンロードされるように流動的にプログラムを担持する媒体であってもよい。
【０１９５】
また、本発明にかかる視聴プログラムは、機器のオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１９６】
また、本発明にかかるプログラムは、他のプログラムの一部に組込まれて提供されるものであってもよい。その場合にも、プログラム自体には、上記他のプログラムに含まれるモジュールが含まれず、他のプログラムと協働して処理が実行される。このような他のプログラムに組込まれたプログラムも、本発明にかかるプログラムに含まれ得る。
【０１９７】
（１６）  提供されるプログラム製品は、ハードディスクまたはメモリ（前述の実施の形態では記憶部１２０，２２０）などのプログラム格納部にインストールされて実行される。なお、プログラム製品は、プログラム自体と、プログラムが記録された記録媒体とを含む。
【０１９８】
（１７）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１９９】
１０  コンテンツ視聴システム、１００  テレビ受像機、１１０  制御部、１２０  記憶部、１３０  操作部、１４０  出力部、１５０  赤外線受信部、１５１  リモコン、１６０  放送受信部、１６１  アンテナ、１７０  近距離通信部、１８０  ネットワーク通信部、２００，２００Ａ〜２００Ｄ  携帯端末、２１０  制御部、２２０  記憶部、２３０  操作部、２３５  音声入出力部、２４０  出力部、２５０  赤外線送受信部、２６０  放送受信部、２６１  アンテナ、２７０  近距離通信部、２８０  ネットワーク通信部、２９０  電話網通信部、２９１  アンテナ、３００  放送局の放送設備、３０１  アンテナ、４００  ＷＷＷサーバ、５００  電気通信事業者の通信設備、６００  ホームサーバ、８００  ＬＡＮ、９００  ＷＡＮ。
【図１】
2010287951.tif 000008
【図２】
2010287951.tif 000009
【図３】
2010287951.tif 000010
【図４】
2010287951.tif 000011
【図５】
2010287951.tif 000012
【図６】
2010287951.tif 000013
【図７】
2010287951.tif 000014
【図８】
2010287951.tif 000015